【手続補正書】
【提出日】令和3年4月20日(2021.4.20)
【手続補正１】
【補正対象書類名】特許請求の範囲
【補正対象項目名】全文
【補正方法】変更
【補正の内容】
【特許請求の範囲】
【請求項１】
音響指紋検知デバイスであって、
５０メガヘルツ（ＭＨｚ）〜５００ＭＨｚの範囲内の周波数を有する超音波信号を送信するように構成された超音波トランスデューサのアレイであって、前記超音波トランスデューサは圧電膜を含む、トランスデューサのアレイと、
第一メタルラインと、
前記第一メタルラインと直交する第二メタルラインであって、前記第一メタルラインおよび前記第二メタルラインは、前記アレイの前記超音波トランスデューサのアドレス指定を可能にする、第二メタルラインと、
指を受けるように構成された表面と、
前記指からの前記超音波信号の反射に基づいて前記指の指紋の少なくとも部分の画像を生成するように構成された処理装置であって、前記音響指紋検知デバイスが前記表面の選択された部分に合焦して送信を行うように構成される、処理装置と、
を含む、音響指紋検知デバイス。
【請求項２】
前記超音波信号の前記周波数が、１２５ＭＨｚ〜２５０ＭＨｚの範囲内にある、請求項１に記載の音響指紋検知デバイス。
【請求項３】
前記超音波信号の前記周波数が、５０ＭＨｚ〜１００ＭＨｚの範囲内にある、請求項１に記載の音響指紋検知デバイス。
【請求項４】
前記圧電膜が、３マイクロメートル（μｍ）〜７５μｍの範囲内の厚さを有する、請求項１〜３のいずれか一項に記載の音響指紋検知デバイス。
【請求項５】
前記圧電膜が、１０マイクロメートル（μｍ）〜２０μｍの範囲内の厚さを有する、請求項１〜４のいずれか一項に記載の音響指紋検知デバイス。
【請求項６】
処理された信号を前記処理装置に供給するため、前記反射に応答して前記超音波トランスデューサのアレイによって生成された電子受信信号を処理するように構成された受信電気回路をさらに含む、請求項１〜５のいずれか一項に記載の音響指紋検知デバイス。
【請求項７】
前記画像がインチ当たり少なくとも５００画素の解像度を有する、請求項１〜６のいずれか一項に記載の音響指紋検知デバイス。
【請求項８】
前記第一メタルラインが、前記表面を含むプレートと物理的に接触している、請求項１〜７のいずれか一項に記載の音響指紋検知デバイス。
【請求項９】
前記圧電膜が、酸化亜鉛、窒化アルミニウム、またはチタン酸鉛ジルコニウムのうちの少なくとも１つを含む、請求項１〜８のいずれか一項に記載の音響指紋検知デバイス。
【請求項１０】
前記表面が、ガラスおよび整合層を含むプレートの表面であり、前記整合層は前記整合層の材料中の前記超音波信号の波長の四分の一に相当する厚さを有する、請求項１〜９のいずれか一項に記載の音響指紋検知デバイス。
【請求項１１】
前記処理装置が、前記表面と接触している前記指の面積に基づいて前記指が前記表面と接触している圧力を見積もるように構成される、請求項１〜１０のいずれか一項に記載の音響指紋検知デバイス。
【請求項１２】
前記処理装置が、前記反射に関連する音速に基づいて前記指の温度を検出するように構成される、請求項１〜１１のいずれか一項に記載の音響指紋検知デバイス。
【請求項１３】
前記処理装置が、前記反射に基づいて前記指の生体活性に関連するパラメータを検出し、前記生体活性パラメータに基づいて前記指が生きた人間の一部であるかどうかの表明を提示するように構成される、請求項１〜１０のいずれか一項に記載の音響指紋検知デバイス。
【請求項１４】
前記超音波トランスデューサのアレイが行と列とに配置され、前記音響指紋検知デバイスが、前記表面の前記選択された部分に前記超音波信号を送信するため、前記アレイの前記列のサブセット中の前記超音波トランスデューサを励振するように構成された送信回路をさらに含む、請求項１〜１３のいずれか一項に記載の音響指紋検知デバイス。
【請求項１５】
前記処理装置が、後処理合成アパーチャ集束法を用いて合焦し送信を行うように構成される、請求項１〜１３のいずれか一項に記載の音響指紋検知デバイス。
【請求項１６】
生体識別画像を生成する方法であって、前記方法は、
１つ以上の超音波トランスデューサを用いて、５０メガヘルツ（ＭＨｚ）〜５００ＭＨｚの周波数範囲内の超音波信号を送信するステップであって、前記送信するステップが送信を合焦するステップを含む、送信するステップと、
前記１つ以上の超音波トランスデューサを用いて前記超音波信号の反射を受信するステップと、
前記超音波信号の前記反射に基づいて前記生体識別画像を生成するステップと、
を含む方法。
【請求項１７】
前記生体識別画像が、指紋の少なくとも部分を表現し、インチ当たり少なくとも５００画素の解像度を有する、請求項１６に記載の方法。
【請求項１８】
前記１つ以上の超音波トランスデューサが、３マイクロメートル（μｍ）〜７５μｍの範囲内の厚さを有する圧電膜を含む、請求項１６または１７に記載の方法。
【請求項１９】
前記反射に基づいて指の生体活性に関連するパラメータを検出するステップと、前記生体活性パラメータに基づいて前記指が生きた人間の一部であるかどうかの表明を提示するステップとをさらに含む、請求項１６〜１８のいずれか一項に記載の方法。
【請求項２０】
音響生体識別検知デバイスであって、
５０メガヘルツ（ＭＨｚ）〜５００ＭＨｚの範囲内の周波数を有する超音波信号を送信するように構成された超音波トランスデューサと、
表面と、
前記超音波トランスデューサと通信している処理装置であって、前記処理装置は、前記表面と接触している対象体からの前記超音波信号の反射に基づいて生体識別画像を生成するように構成され、前記音響生体識別検知デバイスが前記表面の選択された部分に合焦して送信を行うように構成される、処理装置と、
を含む、音響生体識別検知デバイス。
【請求項２１】
前記超音波トランスデューサが、３マイクロメートル（μｍ）〜７５μｍの範囲内の厚さを有する圧電膜を含む、請求項２０に記載の音響生体識別検知デバイス。
【請求項２２】
前記生体識別画像が、指紋の少なくとも部分を表現し、前記生体識別画像はインチ当たり少なくとも５００画素の解像度を有する、請求項２０または２１に記載の音響生体識別検知デバイス。
【請求項２３】
音響指紋検出を備えたスマートカードであって、前記スマートカードは、
カード本体と、
前記カード本体と統合された超音波指紋検知デバイスであって、前記超音波指紋検知デバイスは、超音波信号を送信し、指からの前記超音波信号の反射に基づいて指紋の少なくとも部分の画像データを生成するように構成され、前記画像データはインチ当たり少なくとも５００画素の解像度を有する、指紋識別検知デバイスと、
を含み、
前記超音波指紋検知デバイスは、
前記超音波信号を送信するように構成された第一圧電層と、
前記超音波信号の前記反射を受信するように構成された第二圧電層であって、前記第二圧電層は第一圧電層に積み重ねられる、第二圧電層と、
前記第一圧電層と前記第二圧電層との間に配置された金属導電層と、
前記第一圧電層上に配置された第一メタルラインと、
前記第二圧電層上に配置された第二メタルラインであって、前記第二メタルラインは前記第一メタルラインとほぼ直交している、第二メタルラインと、
、を含む、スマートカード。
【請求項２４】
前記スマートカードを外部のカードリーダーに連結するように構成されたコンタクトをさらに含み、前記超音波指紋検知デバイスが、前記コンタクトを介して前記外部のカードリーダーから電力を引き入れるように構成される、請求項２３に記載のスマートカード。
【請求項２５】
前記カード本体が財布に収まるようなサイズである、請求項２３に記載のスマートカード。
【請求項２６】
二重層超音波指紋検知デバイスであって、
超音波信号を送信するように構成された第一圧電層と、
前記第一圧電層上に配置された第一メタルラインと、
前記超音波信号の反射を受信するように構成された第二圧電層であって、前記第二圧電層は前記第一圧電層に積み重ねられる、第二圧電層と、
前記第二圧電層上に配置された第二メタルラインであって、前記第二メタルラインは、前記第一メタルラインとほほ直交している、第二メタルラインと、
前記第一圧電層と前記第二圧電層との間に配置された金属導電層であって、前記第一メタルラインは前記二重層超音波指紋検知デバイスの第一側上に配置され、前記第二メタルラインは、前記二重層超音波指紋検知デバイスの、前記第一側の反対側である第二側上に配置される、金属導電層と、
ユーザの指からの前記超音波信号の反射に基づいて、前記指の指紋の少なくとも部分の画像を生成するように構成された電気回路と
を含む、二重層超音波指紋検知デバイス。
【請求項２７】
前記第一メタルラインの少なくとも１つを励振することによって前記超音波信号を送信し、前記第二メタルラインの少なくとも１つを用いて、前記送信された超音波信号の反射を受信し、指紋の少なくとも部分の画像を生成するように構成された送信電気回路をさらに含む、請求項２６に記載の二重層超音波指紋検知デバイス。
【請求項２８】
前記画像はインチ当たり少なくとも５００画素の解像度を有する、請求項２６に記載の二重層超音波指紋検知デバイス。
【請求項２９】
前記第一および第二圧電層は、各々、ポリ二フッ化ビニルを含む、請求項２６に記載の二重層超音波指紋検知デバイス。
【請求項３０】
前記第一圧電層は、薄膜堆積圧電層を含む、請求項２６に記載の二重層超音波指紋検知デバイス。
【請求項３１】
前記第一メタルラインは、第一アレイの超音波トランスデューサをアドレス指定するように拵えられており、前記第二メタルラインは、第二アレイの超音波トランスデューサをアドレス指定するように拵えられている、請求項２３に記載のスマートカード。
【請求項３２】
前記超音波指紋検知デバイスは、ポリマー圧電層を含む、請求項２３に記載のスマートカード。
【請求項３３】
前記超音波指紋検知デバイスは、薄膜堆積圧電層を含む、請求項２３に記載のスマートカード。
【請求項３４】
前記画像データに部分的に基づいて、前記スマートカードの正当なユーザであることを検証するように構成された電気回路をさらに含む、請求項２３に記載のスマートカード。
【請求項３５】
前記スマートカードの真正証明をするように構成されたセキュリティチップをさらに含む、請求項２３に記載のスマートカード。
【請求項３６】
前記超音波指紋検知デバイスは、前記指を受けるように構成された、前記カード本体の選択された部分に合焦して送信を行うように構成されている、請求項２３に記載のスマートカード。
【請求項３７】
前記金属導電層は、接地プレーンを含む、請求項２３に記載のスマートカード。